(57)【要約】【課題】  光ディスクに録画・録音した番組のタイトルや内容をその光ディスク上に表示させても問題なく再生できる光ディスク記録装置を提供する。【解決手段】  ＤＶＤレコーダ１は、光ディスクに記録する番組のコンテンツ情報を、放送波とともに送信される電子番組ガイド情報（ＥＰＧ）、インターネットを介して提供する番組情報提供サイト、または光ディスクに番組データとともに記録された番組のコンテンツ情報の何れかから取得する。そして、光ディスクのデータ記録面にレーザ光を照射してマーク及びスペースを形成するプロセスによって、光ディスク（ＤＶＤ＋Ｒ５）に録画した番組のコンテンツ情報を表示する可視画像を光ディスクのデータ記録面に形成する。また、レーベルライタ２１によって光ディスクのレーベル面に番組のコンテンツ情報を印刷する。【選択図】  図１
2005182859.tif 000002
【特許請求の範囲】
【請求項１】
放送局から発信された放送信号を受信する放送受信手段と、
光ディスクに記録する番組を設定する記録設定手段と、
前記放送信号とともに発信される電子番組ガイド情報、または電子番組ガイド配信サイトからインターネットを介して取得した電子番組ガイド情報から、前記放送受信手段によって受信される放送信号に応じて前記光ディスクに記録する番組のコンテンツ情報を取得するコンテンツ情報取得手段と、
前記光ディスクのデータ記録面にレーザ光を照射してマーク及びスペースを形成するプロセスによって前記設定された番組を記録するとともに、このプロセスを用いて前記光ディスクのデータ記録面の空き領域または前記データ記録面の反対面であるレーベル面に、前記設定された番組のコンテンツ情報を表示する可視画像を形成する光ディスク記録再生手段と、
を備えた光ディスク記録装置。
【請求項２】
前記コンテンツ情報取得手段が取得した電子番組ガイド情報を記憶する記憶手段を備え、
前記光ディスク記録再生手段は、前記設定された番組を記録後に前記記憶手段からこの番組のコンテンツ情報を読み出して、前記光ディスクのデータ記録面または前記データ記録面の反対面であるレーベル面に、前記設定された番組のコンテンツ情報を表示する可視画像を形成する請求項１に記載の光ディスク記録装置。
【請求項３】
前記コンテンツ情報取得手段は、番組データ及び電子番組ガイド情報が記録された光ディスクがセットされると、前記光ディスク記録再生手段が読み出した電子番組情報ガイド情報から、前記光ディスクに記録された番組のコンテンツ情報を取得し、
前記光ディスク記録再生手段は、前記コンテンツ情報取得手段が取得した番組のコンテンツ情報に基づいてこの光ディスクに記録された番組のコンテンツ情報を表示する可視画像を形成する請求項１に記載の光ディスク記録装置。
【発明の詳細な説明】
【技術分野】
【０００１】
本発明は、光ディスクに記録した番組のコンテンツ情報を、その光ディスク上に表示させる光ディスク記録装置に関する。
【背景技術】
【０００２】
近時、ＤＶＤ(Digital Versatile Disk)レコーダやＨＤＤ(Hard Disk Drive )付きのＤＶＤレコーダが普及しつつある。ＤＶＤレコーダは、ビデオレコーダなどと同様にテレビ放送の受信機を通常内蔵しており、ユーザは新聞などのテレビ番組表を確認して番組の録画予約を行ったり、放送波と一緒に送られてくる電子番組ガイド情報（ＥＰＧ：Electronic Program Guide）をモニタ上で確認しながら番組の録画予約を行ったりすることができる。
【０００３】
ユーザがＤＶＤレコーダで番組をＤＶＤに録画したり、ＨＤＤに録画した番組をＤＶＤにダビングしたりした場合、ＤＶＤに記録した番組のタイトルや内容などをＤＶＤのレーベル面に書いておかないと、何の番組を録画したかはそのＤＶＤを再生しない限りわからず、見たい番組が録画されているＤＶＤを探すのに手間がかかるという問題があった。
【０００４】
このような問題に対して、従来、番組の映像音声情報とこの番組の番組情報にレーベル情報を含めて放送するセンター装置、及び受信した番組の映像音声情報と番組情報とを記録媒体に記録するとともに、番組情報に含まれるレーベル情報をレーベルに印刷する端末装置に関する技術が開示されている（例えば、特許文献１参照。）。
【特許文献１】特開２００３−４６９２２号公報（第２−８頁、第１−１６図）
【発明の開示】
【発明が解決しようとする課題】
【０００５】
ディジタル放送では、放送局が発信した放送波とともに電子番組ガイド情報が発信される。一方、アナログ放送では、放送波とともに電子番組ガイド情報を発信する放送局も一部あるが、通常、放送波とともに電子番組ガイド情報は発信されていない。そのため、特許文献１に記載の端末装置では、番組情報に含まれるレーベル情報を取得できず、記録媒体に貼り付けるレーベルを作成できない場合があった。
【０００６】
また、特許文献１に記載の端末装置で記録媒体用のレーベルを作成できた場合も、記録媒体にこのレーベルを貼り忘れたりこのレーベルを紛失したりした場合には、やはり記録媒体を再生しないと録画内容がわからない。しかし、レーベルを貼ることによって光ディスクの重量バランスが崩れてしまうと光ディスクは回転中に振動してしまう。この現象は、レーベルが大きくなり重くなるほど、レーベルの貼り付け位置が光ディスクの外周側であるほどより顕著に表れる。さらに、光ディスクの回転速度が速くなると振動量は２次関数的に増加する。そのため、光ディスクにレーベルを貼り付けた重量バランスの悪い状態で高速に読み書きを行うと、最悪の場合には光ディスクや光ディスクのドライブが破損することがあった。
【０００７】
また、熱や光などによる経年変化でレーベルの接着力が弱まるため、光ディスクからレーベルが剥がれてしまうことがある。光ディスクをドライブにセットした状態で光ディスクからレーベルが剥がれると、レーベルがドライブの可動部分に接触したり、巻き込んだりして光ディスクが傷付いたりドライブが破損したりすることがあった。
【０００８】
そこで、本発明は、光ディスクに録画・録音した番組のタイトルや内容などのコンテンツ情報を、その光ディスク上に表示させても問題なく再生できる光ディスク記録装置を提供することを目的とする。
【課題を解決するための手段】
【０００９】
この発明は、上記の課題を解決するための手段として、以下の構成を備えている。
【００１０】
（１）放送局から発信された放送信号を受信する放送受信手段と、
光ディスクに記録する番組を設定する記録設定手段と、
前記放送信号とともに発信される電子番組ガイド情報、または電子番組ガイド配信サイトからインターネットを介して取得した電子番組ガイド情報から、前記放送受信手段によって受信される放送信号に応じて前記光ディスクに記録する番組のコンテンツ情報を取得するコンテンツ情報取得手段と、
前記光ディスクのデータ記録面にレーザ光を照射してマーク及びスペースを形成するプロセスによって前記設定された番組を記録するとともに、このプロセスを用いて前記光ディスクのデータ記録面の空き領域または前記データ記録面の反対面であるレーベル面に、前記設定された番組のコンテンツ情報を表示する可視画像を形成する光ディスク記録再生手段と、
を備えたことを特徴とする。
【００１１】
この構成においては、光ディスクにマーク及びスペースを形成して光ディスクに番組を記録するだけでなく、光ディスクに記録した番組のコンテンツ情報を表示する可視画像をこのプロセスを用いて形成することができる。また、光ディスク記録装置は、光ディスクに記録する番組のコンテンツ情報を放送信号とともに発信される電子番組ガイド情報、またはインターネットを介して配信される電子番組ガイド情報を取得して前記の可視画像を形成するので、放送局から放送信号だけが発信されている場合でも番組のコンテンツ情報を必ず取得できる。したがって、光ディスク記録装置で光ディスクへ番組を記録した際に、記録した番組のコンテンツ情報を表示する可視画像を形成するように設定することで、番組の記録及び可視画像の形成が完了して光ディスク装置から光ディスクを取り出したときから、光ディスクに何の番組を記録したかをすぐに判別することができる。
【００１２】
なお、番組のコンテンツ情報とは、番組のタイトル、放送日、番組開始時間、番組終了時間、概略の内容（ダイジェスト）、ジャンルといった文字情報や、番組のロゴ、番組の一場面を表示するサムネイルといった画像情報などのことである。
【００１３】
（２）前記コンテンツ情報取得手段が取得した電子番組ガイド情報を記憶する記憶手段を備え、
前記光ディスク記録再生手段は、前記設定された番組を記録後に前記記憶手段からこの番組のコンテンツ情報を読み出して、前記光ディスクのデータ記録面または前記データ記録面の反対面であるレーベル面に、前記設定された番組のコンテンツ情報を表示する可視画像を形成することを特徴とする。
【００１４】
この構成においては、光ディスク記録装置は光ディスクに記録した番組ガイド情報を記憶手段で記憶するので、光ディスクに番組を記録した直後にこの番組ガイド情報を記憶手段から読み出して光ディスクに記録した番組のコンテンツ情報を表示する可視画像を形成することができる。また、光ディスクに番組を記録して光ディスク記録装置から一旦光ディスクを取り出した場合でも、この光ディスクを光ディスク記録装置にセットして、この光ディスクに記録した番組のコンテンツ情報を表示する可視画像を形成することができる。
【００１５】
（３）前記コンテンツ情報取得手段は、番組データ及び電子番組ガイド情報が記録された光ディスクがセットされると、前記光ディスク記録再生手段が読み出した電子番組情報ガイド情報から、前記光ディスクに記録された番組のコンテンツ情報を取得し、
前記光ディスク記録再生手段は、前記コンテンツ情報取得手段が取得した番組のコンテンツ情報に基づいてこの光ディスクに記録された番組のコンテンツ情報を表示する可視画像を形成することを特徴とする。
【００１６】
この構成においては、光ディスク記録装置は、番組データとともに番組のコンテンツ情報を含む電子番組ガイド情報が記録された光ディスクがセットされると、光ディスクに記録された番組のコンテンツ情報を取得して、光ディスクのデータ記録面に番組のコンテンツ情報を表示する可視画像を形成することができる。したがって、他の光ディスク記録装置で記録した光ディスクであっても光ディスクに番組のコンテンツ情報が記録されていると、その光ディスクに記録した番組のコンテンツ情報を表示する可視画像を形成することができる。
【発明の効果】
【００１７】
本発明の光ディスク記録装置は、アナログ放送、ディジタル放送にかかわらず番組のコンテンツ情報を取得して、この番組のコンテンツ情報から所望の情報を選択して光ディスクの記録面にレーザ光を照射して文字情報や画像情報を記録することができる。また、光ディスク記録装置は、光ディスクに録画した番組のコンテンツ情報を表示する可視画像を、データ記録と同じプロセスにより光ディスクに記録するので、レーベルを貼ったときのように光ディスクの重量バランスが崩れたりレーベルが剥がれたりするといった問題が発生せず、光ディスクに記録した番組のコンテンツ情報を、光ディスクを再生しなくてもすぐに把握できる。
【発明を実施するための最良の形態】
【００１８】
図１は、本発明の実施形態に係る光ディスク記録装置の概略構成を示したブロック図である。本発明は記録型光ディスクに対して、ラジオやテレビの番組を録音・録画する記録再生部を有しており、以下の説明では記録型光ディスクとしてＤＶＤ＋Ｒを例に挙げて説明する。光ディスク記録装置であるＤＶＤレコーダ１は、図外の放送局から発信された放送信号を受信して、放送信号をモニタ２へ出力したり、放送信号をＤＶＤ＋Ｒ５に記録したりする。モニタ２は、ＤＶＤレコーダ１から放送信号が出力されると、ユーザの操作に応じて番組の映像表示や音声出力を行ったりＥＰＧを表示したりする。
【００１９】
ＤＶＤレコーダ１は、ディジタル放送用アンテナ１１が接続されたディジタル放送チューナ１２、アナログ放送用アンテナ１３が接続されたアナログ放送チューナ１４、公衆回線網３に接続されたインターネット接続部１５、ＥＰＧデータフィルタ１６、ＥＰＧデータフィルタ１７、ＥＰＧデータフィルタ１８、ＥＰＧデータ選択部１９、ＥＰＧデータベース２０、レーベルライタ２１、記録再生部２２、ＨＤＤ２３、操作部２４、メイン制御部２５、受信部２６、及びリモコン２７を備えている。
【００２０】
ディジタル放送用アンテナ１１は、放送局から発信されたディジタル放送波を受信するアンテナである。ディジタル放送チューナ１２は、ディジタル放送用アンテナ１１で受信した放送信号から特定のチャンネルの放送信号を選択して、このチャンネルで放送されている番組の映像・音声の信号とＥＰＧデータの信号とを出力する。
【００２１】
アナログ放送用アンテナ１３は、放送局から発信されたアナログ放送波を受信するアンテナである。アナログ放送チューナ１４は、アナログ放送用アンテナ１３で受信した放送信号から特定のチャンネルの放送信号を選択して、このチャンネルで放送されている番組の映像・音声の信号と、放送信号にＥＰＧデータが含まれている場合にはこのＥＰＧデータと、を出力する。
【００２２】
ここで、放送局は、例えば現在から１週間先までに放送予定の番組のコンテンツ情報をまとめた電子番組ガイド情報をＥＰＧデータとして放送信号に含めて配信する。また、放送局は、各番組のコンテンツ情報として、番組のタイトル、放送日、番組開始時間、番組終了時間、概略の内容（ダイジェスト）、ジャンルといった文字情報や、番組のロゴ、番組の一場面を表示するサムネイルといった画像情報などを配信する。
【００２３】
公衆回線網３は、様々な情報を提供するサイト（サーバ）や、これらのサイトから情報を受け取るコンピュータなどの機器が複数台接続された通信回線網（インターネット）である。公衆回線網３には、アナログ放送の番組のコンテンツ情報を提供する番組情報提供サイト４が接続されている。
【００２４】
インターネット接続部１５は、公衆回線網３を介して番組情報提供サイト４に接続して、このサイトから電子番組ガイド情報を取得する。また、インターネット接続部１５は、アナログ放送チューナ１４が受信する特定のチャンネルの放送波にＥＰＧデータが含まれていない場合に、番組情報提供サイト４からこのチャンネルで放送する番組のコンテンツ情報を取得する。
【００２５】
ＥＰＧデータフィルタ１６は、ディジタル放送チューナ１２から出力された映像信号、音声信号及びＥＰＧデータの信号からＥＰＧデータの信号だけを抽出して、ＥＰＧデータ選択部１９及びＥＰＧデータベース２０へ出力する。
【００２６】
ＥＰＧデータフィルタ１７は、インターネット接続部１５が番組情報提供サイト４から取得した情報からＥＰＧデータを抽出して、ＥＰＧデータ選択部１９及びＥＰＧデータベース２０へ出力する。
【００２７】
ＥＰＧデータフィルタ１８は、記録再生部２２がＤＶＤ＋Ｒ５から読み出した記録データのＥＰＧデータを抽出して、ＥＰＧデータ選択部１９へ出力する。
【００２８】
ＥＰＧデータ選択部１９は、ＥＰＧデータフィルタ１６、ＥＰＧデータフィルタ１７、ＥＰＧデータフィルタ１８またはＥＰＧデータベース２０のいずれかから出力されたＥＰＧデータから、ＤＶＤ＋Ｒ５に記録する番組またはＤＶＤ＋Ｒ５に記録された番組のコンテンツ情報を含むＥＰＧデータを選択して、レーベルライタ２１及び記録再生部２２へ出力する。また、ＥＰＧデータ選択部１９は、選択された番組のコンテンツ情報からユーザが設定したコンテンツ情報のみを抽出する。例えば、番組のコンテンツ情報から番組タイトルと放送日時のみを抽出するようにユーザが設定した場合、ＥＰＧデータ選択部１９はこれらのコンテンツ情報のみを抽出して出力する。
【００２９】
ＥＰＧデータベース２０は、ＥＰＧデータフィルタ１６、ＥＰＧデータフィルタ１７またはＥＰＧデータ選択部１９より出力されたＥＰＧデータを蓄積するデータベースである。
【００３０】
レーベルライタ２１は、ＤＶＤ＋Ｒ５に記録された番組のコンテンツ情報などをＤＶＤ＋Ｒ５のレーベル面に印刷する。レーベルライタ２１は、例えば、熱転写プリンタやインクジェットプリンタにより構成すると良い。また、レーベル面にレーザ光が照射されると発色する色素などの物質が塗布されているＤＶＤ＋Ｒ５を主に使用する場合には、レーベルライタ２１に代えて、後述する記録再生部２２と同じ構成を設けるようにしても良い。この場合、ＤＶＤ＋Ｒ５としては、熱発色性の色素などの物質がレーベル面に塗布されたものを使用すると良い。この場合には、光ディスクの表裏を逆にセットした場合でもＤＶＤ＋Ｒ５のデータ記録面にデータを記録することができる、また、レーベル面とデータ記録面との少なくとも一方に、ＤＶＤ＋Ｒ５に記録した番組のコンテンツ情報を記録することができる。なお、ＤＶＤレコーダ１は、レーベルライタ２１を備えていない構成でも良く、この場合には後述するように、記録再生部２２によってＤＶＤ＋Ｒ５のデータ記録面に番組のコンテンツ情報を表示する可視画像を形成させることができる。
【００３１】
記録再生部２２は、ディジタル放送チューナ１２やアナログ放送チューナ１４が受信したチャンネルの映像信号や音声信号を、記録再生部２２にセットされたＤＶＤ＋Ｒ５に記録する。また、記録再生部２２は、ＥＰＧデータ選択部１９から出力されたＥＰＧデータを可視画像データに変換する。そして、ＤＶＤ＋Ｒ５の記録面のデータ未記録領域にレーザ光を照射して、ＤＶＤ＋Ｒ５に記録した番組のコンテンツ情報を表示する可視画像を形成する。なお、記録再生部２２の構成や動作の詳細については後述する。
【００３２】
ＨＤＤ２３は、ディジタル放送チューナ１２やアナログ放送チューナ１４が受信したチャンネルの映像信号や音声信号を内蔵するハードディスクに記録する。また、ＨＤＤ２３は、ハードディスクに記録した番組の映像信号や音声信号（以下、番組データと称する。）を記録再生部２２へ出力して、ＨＤＤ２３に録画や録音した番組をＤＶＤ＋Ｒ５へダビング（または移動）することができる。
【００３３】
操作部２４は、録画予約や可視画像の記録などを行うためにユーザが行った操作を受け付ける。
【００３４】
メイン制御部２５は、ＤＶＤレコーダ１の各部を制御する。また、メイン制御部２５は、操作部２４やリモコン２７で行われた操作に応じて録画予約や可視画像の記録などを行うための制御を行う。
【００３５】
受信部２６は、ユーザの操作に応じてリモコン２７から出力される信号を受信する。
【００３６】
リモコン２７は、ユーザがＤＶＤレコーダ１で録画予約や可視画像の記録などを実行するための操作を受け付けて、操作に応じた信号を出力する。
【００３７】
次に、記録再生部２２の具体的な構成について図２に基づいて説明する。図２は、記録再生部の概略構成を示したブロック図である。記録再生部２２は、フィードモータ２８、ガイドレール２９、光ピックアップ３０、スピンドルモータ３１、ＲＦアンプ３２、サーボ回路３３、アドレス検出回路３４、デコーダ３５、制御部３６、エンコーダ３７、ストラテジ回路３８、レーザドライバ３９、レーザパワー制御回路４０、周波数発生器４１、再生信号品位検出回路４４、記憶部４５、バッファメモリ４６、及びレーザ照射パターン変換回路４７を備えている。
【００３８】
フィードモータ２８は、光ピックアップ３０を光ディスクの半径方向に移動させるための駆動力を供給するモータである。ガイドレール２９は、光ピックアップ３０が光ディスクの半径方向に移動するように、光ピックアップ３０を支持する。
【００３９】
光ピックアップ３０は、図外のレーザダイオード、レンズ及びミラーなどの光学系、戻り光（反射光）受光素子、フォーカスサーボ・トラッキングサーボ・チルトサーボの各サーボ機構などを備えている。また、光ピックアップ３０は、データの記録時及び再生時にはＤＶＤ＋Ｒ５に対してレーザ光を照射して、ＤＶＤ＋Ｒ５からの戻り光を受光して受光信号をＲＦアンプ３２に出力する。なお、受光信号は、８／１６変調（ＥＦＭｐｌｕｓ）されたＲＦ信号である。また、光ピックアップ３０は、モニタダイオードを備えており、ＤＶＤ＋Ｒ５の戻り光によってモニタダイオードに電流が生じ、この電流がレーザパワー制御回路４０へ供給されるようになっている。ＤＶＤ＋Ｒ５の半径方向に移動可能な光ピックアップ３０，３０’を２つ設けて、一方で番組データを記録し他方で番組のコンテンツ情報を表示する可視画像を形成するように構成しても良い。この場合、データ記録開始直後からＤＶＤ＋Ｒ５の外周近傍の領域に可視画像を形成することができる。
【００４０】
スピンドルモータ３１は、データを記録するメディアであるＤＶＤ＋Ｒ５を回転駆動するモータである。また、スピンドルモータ３１の回転軸先端部には、光ディスクを保持（チャッキング）するためのターンテーブルなどからなる図外の光ディスク保持機構が設けられている。周波数発生器４１は、スピンドルモータ３１が出力したＤＶＤ＋Ｒ５の相対位置信号を検出して、ＤＶＤ＋Ｒ５の回転角度や回転数を検出するための信号をサーボ回路３３に出力する。
【００４１】
ＲＦアンプ３２は、光ピックアップ３０から出力される８／１６変調されたＲＦ信号を増幅して、増幅後のＲＦ信号をサーボ回路３３、アドレス検出回路３４、再生信号品位検出回路４４、及びデコーダ３５に出力する。
【００４２】
サーボ回路３３は、スピンドルモータ３１の回転制御、光ピックアップ３０のフォーカス制御・トラッキング制御・チルト制御、及びフィードモータ２８による光ピックアップ３０の送り制御を行う。
【００４３】
アドレス検出回路３４は、ＲＦアンプ３２から供給されたＲＦ信号からウォブル信号成分を抽出し、各信号成分に含まれる時間情報（アドレス情報）など各種の情報を復号し、制御部３６に出力する。
【００４４】
再生信号品位検出回路４４は、ＤＶＤ＋Ｒ５のテスト記録領域を再生しているときに、ＲＦアンプ３２から供給されるＲＦ信号から再生信号品位に関するパラメータとしてβやγを算出し、算出結果を制御部３６に出力する。
【００４５】
デコーダ３５は、ＲＦアンプ３２から供給される８／１６変調されたＲＦ信号を８／１６復調して再生データを生成し、モニタ２、ＥＰＧデータフィルタ１８及び制御部３６へ出力する。
【００４６】
エンコーダ３７は、ディジタル放送チューナ１２またはアナログ放送チューナ１４から出力された記録データや、制御部３６から出力されたランダムパターンデータを８／１６変調し、ストラテジ回路３８へ出力する。
【００４７】
ストラテジ回路３８は、エンコーダ３７から出力されたＲＦ信号に対して時間軸補正処理などを行いレーザドライバ３９へ出力する。
【００４８】
レーザドライバ３９は、ストラテジ回路３８から供給される記録データに応じて変調された信号と、レーザパワー制御回路４０の制御信号と、に従って光ピックアップ３０のレーザダイオードを駆動する。
【００４９】
レーザパワー制御回路４０は、光ピックアップ３０のレーザダイオードから照射されるレーザ光のパワーを制御する。具体的には、レーザパワー制御回路４０は、光ピックアップ３０のモニタダイオードから出力される電流値と、制御部３６から送信される最適レーザパワーの目標値を示す情報と、に基づいて、最適なレーザパワーのレーザ光が光ピックアップ３０から照射されるように、レーザドライバ３９を制御する。
【００５０】
制御部３６は、図示していないＣＰＵ、ＲＯＭ、及びＲＡＭ等から構成されており、ＲＯＭに格納されたプログラムに従って記録再生部２２の各部を制御する。
【００５１】
記憶部４５は、実験などを行って予め求めたデータや、記録再生部２２のファームウェアなどを記憶する。
【００５２】
バッファメモリ４６は、ＥＰＧデータ選択部１９から転送された可視画像形成データを一時的に格納し、レーザ照射パターン変換回路４７へ出力する。レーザ照射パターン変換回路４７は、可視画像形成データをレーザ照射パターンへ変換し、レーザドライバ１９へ出力する。
【００５３】
次に、ＤＶＤレコーダ１の可視画像の形成原理について説明する。記録型光ディスクにデータを記録するためにレーザ光を照射してマークを形成すると、レーザ光を照射してマークを形成した部分と、レーザ光を照射せずにスペースとなった部分と、では光の反射率が異なり、データ記録面に色の濃淡が発生する。ＤＶＤレコーダ１では、この特性を利用することで、記録形光ディスクのデータ記録面にレーザ光を照射して、文字・記号・絵画・写真などを所望の形状の視認可能な画像（以下、可視画像と称する。）を形成することができる。記録形光ディスクのデータ記録面に可視画像として、記録データに関する情報を文字や画像で表示することで、光ディスクのレーベル面に記録データに関する情報を手書きしたり印刷したりする必要がなくなり、また、容易に光ディスクの記録内容を判別することができる。
【００５４】
図３は、直交座標系の画像及び極座標系の画像を示した図である。ＤＶＤレコーダ１は、データ記録時と同様にＤＶＤ＋Ｒ５を回転させながらレーザ光を照射して可視画像を形成するので、光ディスクに形成する可視画像用のレーザ光照射パターンは極座標系の画像に基づいて作成される。一方、ＥＰＧデータはテキストデータや画像データであり、これらのデータは直交座標系のデータである。そのため、ＤＶＤレコーダ１は、直交座標系の画像データやテキストデータを極座標系の画像データに変換してから、この極座標系の画像データに基づいて可視画像形成情報を作成し、この可視画像形成情報により光ディスクに可視画像を記録する。すなわち、ＤＶＤレコーダ１は、図３（Ａ）に示すような直交座標系の画像データを、図３（Ｂ）に示す極座標系の画像データに変換してマーク及びスペースを形成して光ディスクに可視画像を記録する。
【００５５】
ＤＶＤレコーダ１では、ＤＶＤ＋Ｒ５に記録した番組のコンテンツ情報として、番組のタイトル、ロゴ、放送日、番組開始時間、番組終了時間、概略の内容
（ダイジェスト）、ジャンル、サムネイルなどをＥＰＧデータや録画した番組データから取得して、これらのコンテンツ情報を画像データに変換してＤＶＤ＋Ｒ５のデータ記録面の未記録領域に可視画像として記録することができる。また、ＤＶＤレコーダ１では、ユーザが操作部２４またはリモコン２７を操作することで、可視画像として表示させる項目を予め設定しておき、ＥＰＧデータから設定した項目のみを抽出して可視画像を形成させることができる。例えば、番組タイトル及び録画した日時のみを可視画像として記録するように設定することができる。さらに、ＤＶＤレコーダ１では、ＤＶＤ＋Ｒ５に記録した番組の画像データから１つまたは複数の画像を抽出して、この画像を可視画像としてＤＶＤ＋Ｒ５のデータ記録面に表示させることができる。
【００５６】
また、ＤＶＤレコーダ１では、以下に説明するようなタイミングでＤＶＤ＋Ｒ５に可視画像を形成することができる。
【００５７】
１．ＤＶＤレコーダ１は、ＤＶＤ＋Ｒ５に番組を記録しながら、同時に可視画像を記録することができる。
【００５８】
ＤＶＤレコーダ１は、例えば、光ピックアップ３０がレーザダイオードを１つ備えた構成でＣＭカット機能を備えている場合、番組の録画中には番組データをＤＶＤ＋Ｒ５に記録し、コマーシャル中には番組のコンテンツ情報を表示する可視画像をＤＶＤ＋Ｒ５に記録するように設定することができる。なお、この場合、番組データの情報量は番組のコンテンツ情報から予め取得できるので、ＤＶＤレコーダ１は、番組の録画前に予めデータの記録領域の終端を演算しておき、コマーシャルが始まると未記録領域に可視画像を形成する。
【００５９】
また、ＤＶＤレコーダ１は、光ピックアップ３０が光ピックアップを２つ備えた構成の場合、一方の光ピックアップでＤＶＤ＋Ｒ５に放送を記録しながら、他方の光ピックアップでＤＶＤ＋Ｒ５のデータ未記録領域となる領域に番組のコンテンツ情報を表示する可視画像を形成することができる。なお、この場合も、ＤＶＤレコーダ１は、番組データの情報量は予め取得してデータの記録領域の終端を演算しておき、未記録領域に可視画像を形成する。
【００６０】
２．ＤＶＤレコーダ１は、ＤＶＤへの番組データの記録を完了直後に続けて記録することができる。
【００６１】
ＤＶＤレコーダ１は、例えば、光ピックアップ３０がレーザダイオードを１つ備えた構成でＣＭカット機能がオフされている場合やこの機能を備えていない場合には、番組及びコマーシャルの録画中には番組データをＤＶＤ＋Ｒ５に記録し、番組が終了して録画が完了すると番組のコンテンツ情報を表示する可視画像をＤＶＤ＋Ｒ５に形成するように設定することができる。
【００６２】
３．ＤＶＤレコーダ１は、ＤＶＤ＋Ｒ５に番組データを記録後にＤＶＤレコーダ１から一旦ＤＶＤ＋Ｒ５を取り出して、再度ＤＶＤ＋Ｒ５をＤＶＤレコーダ１にセットした際に、ＤＶＤ＋Ｒ５に記録した番組のコンテンツ情報を形成することができる。
【００６３】
ＤＶＤレコーダ１は、ユーザがコンテンツ情報を表示する可視画像を形成するように設定せずに番組データの記録設定をした場合には、ＤＶＤ＋Ｒ５に記録する番組を含む番組のコンテンツ情報やＤＶＤ＋Ｒ５のシリアル番号などの情報を取得してＥＰＧデータベース２０に記憶させるように予め設定できる。また、ＤＶＤレコーダ１は、ユーザが可視画像を形成するように設定せずに番組データの記録設定をした場合、ＤＶＤ＋Ｒ５に番組データだけでなく記録する番組のコンテンツ情報を一緒に記録するように予め設定することができる。したがって、何らかの理由で、ＤＶＤ＋Ｒ５に記録した番組のコンテンツ情報を表示する可視画像が形成されなかった場合でも、番組データの記録後に再度ＤＶＤ＋Ｒ５をＤＶＤレコーダ１にセットすることで、ＥＰＧデータベース２０またはＤＶＤ＋Ｒ５に記録された番組のコンテンツ情報に基づいてコンテンツ情報を表示する可視画像を形成することができる。また、ＤＶＤレコーダ１は、ＥＰＧデータベース２０から番組のコンテンツ情報を読み出して可視画像を形成する場合には、ＤＶＤ＋Ｒ５に記録した番組データのファイル情報、記録日時情報（タイムスタンプ）、シリアル番号などの情報を読み出して番組のコンテンツ情報を選択する。そして、ＤＶＤレコーダ１は、ユーザにコンテンツ情報を選択・確認する表示をモニタ２に表示させる。ＤＶＤレコーダ１は、操作部２４またはリモコン２７からこの番組のコンテンツ情報を記録するように指示する入力があると、データの未記録領域に可視画像を形成する。
【００６４】
次に、ＤＶＤレコーダ１の動作についてフローチャートに基づいて説明する。ＤＶＤレコーダ１は、録画の予約設定を行う場合、新聞などの番組表を見ながら予約設定する入力予約モードと、ＥＰＧをモニタ２に表示させてＥＰＧから予約設定するＥＰＧ予約モードと、を選択することができる。また、ＤＶＤレコーダ１は、前記のように、３つのタイミングでＤＶＤ＋Ｒ５に可視画像を形成することができる。そのため、以下の説明では、これらの各場合について動作を説明する。
【００６５】
ＤＶＤレコーダ１は、録画と可視画像の記録を同時または連続して行う場合には、以下のように処理を行う。図４は、ＤＶＤレコーダで録画と可視画像の記録を同時または連続して行う場合の動作を説明するためのフローチャートである。ＤＶＤレコーダ１のメイン制御部２５は、操作部２４またはリモコン２７が操作されて予約の設定が開始されると（ｓ１）、予約モードの確認を行う。ユーザがモニタ２にＥＰＧを表示させ、ＥＰＧ予約モードを選択した場合には（ｓ２）、メイン制御部２５は、操作部２４またはリモコン２７が操作されて録画予約する番組と番組のコンテンツ情報を表示する可視画像の形成及び形成タイミングとが設定されると（ｓ３）、放送波とともに送信されたＥＰＧデータかまたは番組情報提供サイトから録画予約された番組のコンテンツ情報を取得する（ｓ５）。そして、メイン制御部２５は、録画予約が設定された番組のコンテンツ情報をＥＰＧデータベース２０に格納して（ｓ６）、録画開始時間まで待機する（ｓ７）。
【００６６】
一方、ＤＶＤレコーダ１のメイン制御部２５は、ステップｓ２において直接予約モードが選択されて、録画する番組のチャンネルと日時（開始時間、終了時間）が設定されると（ｓ４）、ステップｓ５以降の処理を行う。
【００６７】
なお、ＤＶＤレコーダ１は、録画と可視画像の形成を同時に行うように設定された場合、録画予約された番組の録画時間に基づいてＤＶＤの未記録領域、つまり可視画像の記録領域の開始位置を計算しておき、未記録領域の大きさに応じて可視画像のサイズを調整する。
【００６８】
ＤＶＤレコーダ１は、録画開始時間になると（ｓ７）、録画を開始する。このとき、メイン制御部２５は、録画後に可視画像を記録するように設定されている場合には（ｓ８）、番組の録画を行い（ｓ９）、録画が終了すると、ＥＰＧデータ選択部１９にＥＰＧデータベース２０から番組のコンテンツ情報を選択させて記録再生部２２に、録画した番組のコンテンツ情報を表示する可視画像を形成させる（ｓ１０）。このとき、ユーザは、未記録領域のサイズに応じて可視画像のサイズを変更するように予め設定しておくことも、未記録領域のサイズにかかわらず同じサイズで可視画像を形成するように予め設定しておくこともできる。なお、メイン制御部２５は、可視画像の形成が終了すると処理を終了する。
【００６９】
また、ステップｓ８において、メイン制御部２５は、録画と可視画像の形成をを同時に行うように設定されている場合には、番組の録画を行いながらコマーシャルなど録画しない情報の放映中に未記録領域となる領域に番組のコンテンツ情報を表示する可視画像を形成する（ｓ１１）。また、ＤＶＤレコーダ１が光ピックアップを２つ備えている場合には、メイン制御部２５は番組データの記録と番組のコンテンツ情報を表示する可視画像の形成とを同時に実行させる。そして、メイン制御部２５は、番組データの記録（録画）及び番組のコンテンツ情報を表示する可視画像の形成が完了したら、処理を終了する。
【００７０】
次に、録画済みのＤＶＤに可視画像を記録する場合について説明する。図５は、ＤＶＤレコーダが録画済みのＤＶＤ＋Ｒに可視画像を記録する動作を説明するためのフローチャートである。ＤＶＤレコーダ１は、ＤＶＤ＋Ｒ５に番組を録画する際に、前記のようにこの番組のコンテンツ情報を予めＥＰＧデータベース２０に蓄積している。したがって、ユーザは、ＤＶＤレコーダ１でＤＶＤ＋Ｒ５に番組を録画した際に、番組のコンテンツ情報の可視画像を形成するのを忘れていた場合、録画後であっても録画後のＤＶＤ＋Ｒ５に番組のコンテンツ情報を記録することができる。
【００７１】
ＤＶＤレコーダ１のメイン制御部２５は、録画済みのＤＶＤ＋Ｒ５がセットされると（ｓ２１）、ＤＶＤ＋Ｒ５に記録された番組の記録日時（タイムスタンプ）などの情報やＤＶＤ＋Ｒ５のシリアル番号などを、記録再生部２２で読み出してこれらの情報を取得する（ｓ２２）。続いて、メイン制御部２５は、ＤＶＤ＋Ｒ５に記録した番組のタイムスタンプに該当するコンテンツ情報や、ＤＶＤ＋Ｒ５のシリアル番号に関連づけされたコンテンツ情報が、ＥＰＧデータベース２０に記録されているか否かを確認する（ｓ２３）。ＤＶＤ＋Ｒ５に記録された番組のコンテンツ情報がＥＰＧデータベース２０に記録されていた場合には（ｓ２４）、ＥＰＧデータ選択部１９は、メイン制御部２５の指示に基づいてＥＰＧデータベース２０からＤＶＤ＋Ｒ５に記録されている番組のコンテンツ情報を読み出して記録再生部２２へこれらの情報を出力する（ｓ２５）。記録再生部２２は、メイン制御部２５の指示に基づいて、ＤＶＤ＋Ｒ５の未記録領域にこの番組のコンテンツ情報を表示する可視画像を形成する（ｓ２６）。メイン制御部２５は、記録再生部２２が可視画像の形成を終了すると、処理を終了する。
【００７２】
また、メイン制御部２５は、ステップｓ２４において、ＤＶＤ＋Ｒ５に記録した番組のコンテンツ情報やＤＶＤ＋Ｒ５のシリアル番号などの情報がＥＰＧデータベース２０に記録されていない場合には、記録再生部２２でＤＶＤ＋Ｒ５のデータを読み出して、ＤＶＤ＋Ｒ５に番組のコンテンツ情報が記録されているか否かを確認する（ｓ２７）。メイン制御部２５は、ＤＶＤ＋Ｒ５に番組のコンテンツ情報が記録されていない場合には（ｓ２８）、処理を終了する。一方、ＤＶＤ＋Ｒ５に番組のコンテンツ情報が記録されている場合には、記録再生部２２は、ＤＶＤ＋Ｒ５から番組のコンテンツ情報を読み出してＥＰＧデータフィルタ１８に出力し、ＥＰＧデータ選択部１９は、ＥＰＧデータフィルタ１８から出力された番組のコンテンツ情報を記録再生部２２へ出力する。記録再生部２２は、ＥＰＧデータ選択部１９から出力された番組のコンテンツ情報を表示する可視画像をＤＶＤ＋Ｒ５に形成する（ｓ２９）。メイン制御部２５は、記録再生部２２が可視画像の形成を終了すると、処理を終了する。
【００７３】
このように、録画済みのＤＶＤ＋Ｒに、録画した番組のコンテンツ情報や録画した番組のコンテンツ情報を含む電子番組ガイド情報が記録されていると、他の光ディスク装置で記録したＤＶＤ＋Ｒであっても、そのＤＶＤ＋Ｒに録画した番組のコンテンツ情報を表示する可視画像を形成することができる。
【００７４】
次に、ＤＶＤレコーダ１においてＨＤＤ２３に録画したデータをＤＶＤにダビングする場合について説明する。図６は、ＤＶＤレコーダのＨＤＤに番組を予約録画して、録画が完了した番組をＤＶＤ＋Ｒにダビングする動作を説明するためのフローチャートである。なお、図６の説明では、ＤＶＤレコーダ１が光ピックアップ３０を２つ備えた構成であるものとして説明する。ＤＶＤレコーダ１では、図４に基づいて説明した手順と同様の手順により、番組の録画予約が行われてＨＤＤ２３に番組が録画されている。また、番組予約の際に予約された番組のコンテンツ情報が取得されてＥＰＧデータ２０に記録されている。
【００７５】
ＤＶＤレコーダ１のメイン制御部２５は、ユーザが操作部２４を操作してＨＤＤ２３に記録した番組データをＤＶＤ＋Ｒ５にダビングするように設定した場合（ｓ３１）、ＨＤＤ２３に記録しているデータリストをモニタ２に表示させる
（ｓ３２）。メイン制御部２５は、ＤＶＤ＋Ｒ５にダビングする番組データが選択されると（ｓ３３）、ダビングする番組データとこの番組のコンテンツ情報を表示する可視画像とを同時に記録するか、連続して記録するかのいずれかを選択するようユーザに促す表示をモニタ２に表示させる（ｓ３４）。
【００７６】
メイン制御部２５は、ユーザが操作部２４を操作して、番組データの記録（ダビング）と可視画像の記録とを同時に行うように設定した場合には（ｓ３５）、ＨＤＤ２３から記録再生部２２へ番組データを出力させて、記録再生部２２に設けた一方の光ピックアップでＤＶＤ＋Ｒ５にデータを記録させてダビングを行う。また、メイン制御部２５は、ＥＰＧデータ選択部１９にＥＰＧデータベース２０から番組のコンテンツ情報を読み出させて、記録再生部２２へ出力させる。記録再生部２２は、未記録領域となる領域に番組のコンテンツ情報を表示する可視画像を形成する（ｓ３６）。そして、メイン制御部２５は、録画予約された番組が終了したら処理を終了する。
【００７７】
一方、メイン制御部２５は、番組データの記録（ダビング）後に可視画像を記録するように設定された場合には（ｓ３５）、まず、ＨＤＤ２３から記録再生部２２へ番組データを出力させて、ＤＶＤ＋Ｒ５に番組データを記録させる（ｓ３７）。そして、ＤＶＤレコーダ１は番組データの記録が終了すると、未記録領域に番組のコンテンツ情報を表示する可視画像を記録する（ｓ３８）。ＤＶＤレコーダ１は、この可視画像の記録が完了したら処理を終了する。
【００７８】
以上のように、本発明の光ディスク記録装置では、光ディスクに記録した番組のコンテンツ情報を表示する可視画像を光ディスクのレーベル面に形成できるので、ユーザは録画した番組を見る際に、その番組を録画した光ディスクを容易に見つけることができる。
【００７９】
また、以上の説明では、ＤＶＤ＋Ｒ５に記録した番組のコンテンツ情報を表示する可視画像を記録再生部２２によって形成する場合について説明したが、ＤＶＤレコーダ１では、記録再生部２２でＤＶＤ＋Ｒ５のデータ記録面に番組データを記録する前、または直後にレーベルライタ２１によってＤＶＤ＋Ｒ５のレーベル面に番組のコンテンツ情報を記録することができる。また、レーベルライタ２１の代わりに記録再生部を設けて、レーザ光の熱によって発色する色素などの物質をレーベル面に塗布したＤＶＤ＋Ｒ５を使用した場合には、データ記録面に番組データを記録しながら、レーベル面に番組のコンテンツ情報を印刷することができる。また、この場合にもＤＶＤ＋Ｒ５のデータ記録面に番組のコンテンツ情報を表示する可視画像を形成することができる。さらに、レーベルライタ２１が無い場合は、このメディアを裏返してデータ記録用の光ピックアップでレーベルに番組のコンテンツ情報を表示する可視画像を印刷（形成）することができる。したがって、ＤＶＤ＋Ｒ５に記録した番組のコンテンツ情報をＤＶＤ＋Ｒ５の両面に表示させることができるので、ユーザはＤＶＤ＋Ｒ５に何を記録したかを更に容易に判別することができる。また、上記のようにしてＤＶＤ＋Ｒ５に番組のコンテンツ情報を表示させた場合、光ディスクの重量バランスが崩れたり、ＤＶＤ＋Ｒ５からレーベルが剥がれたりすることがないので、ユーザは安心してこのＤＶＤ＋Ｒ５を再生することができる。
【図面の簡単な説明】
【００８０】
【図１】本発明の実施形態に係る光ディスク記録装置の概略構成を示したブロック図である。
【図２】記録再生部の概略構成を示したブロック図である。
【図３】直交座標系の画像及び極座標系の画像を示した図である。
【図４】ＤＶＤレコーダで録画と可視画像の記録を同時または連続して行う場合の動作を説明するためのフローチャートである。
【図５】ＤＶＤレコーダが録画済みのＤＶＤ＋Ｒに可視画像を記録する動作を説明するためのフローチャートである。
【図６】ＤＶＤレコーダのＨＤＤに番組を予約録画して、録画が完了した番組をＤＶＤ＋Ｒにダビングする動作を説明するためのフローチャートである。
【符号の説明】
【００８１】
１−ＤＶＤレコーダ、２−モニタ、３−公衆回線網、４−番組情報提供サイト、５−ＤＶＤ＋Ｒ、１２−ディジタル放送チューナ、１４−アナログ放送チューナ、１５−インターネット接続部、１６〜１８−ＥＰＧデータフィルタ、１９−ＥＰＧデータ選択部、２０−ＥＰＧデータベース、２１−レーベルライタ、２２−記録再生部、２３−ＨＤＤ（ハードディスク）、２４−操作部、２５−メイン制御部、２７−リモコン
【図１】
2005182859.tif 000003
【図２】
2005182859.tif 000004
【図３】
2005182859.tif 000005
【図４】
2005182859.tif 000006
【図５】
2005182859.tif 000007
【図６】
2005182859.tif 000008